(57)【要約】      （修正有）【課題】低価格で簡易のガイド機構を設け、横幅の広い引出しの出し入れを円滑に行い、脱線して閉まらなくなることを防止する引出用ガイド具を提供する。【課題】キャビネットの両壁部間に出し入れ可能な引出しの両壁部に固定される一側壁固定ガイド及び他側壁固定ガイド部２と、引出しの両側に設けられる引出し側可動ガイド部とからなること。一側壁固定ガイド部，他側壁固定ガイド部２は、長手方向の前端には手前側ガイド輪２１が軸支され、両引出し側可動ガイド部には、引出しの奥側の両側に位置して設けられた両奥側ガイド輪３１が軸支され、手前側ガイド輪２１を転動規制する可動側ガイド縁が形成され、一側壁固定ガイド部の上部又は底部には固定側ガイド縁が形成され、他側壁固定ガイド部２の上部２２又は底部２４の手前側箇所のみに奥側ガイド輪３１を転動規制する手前側垂下状片２５が取り付けられること。【選択図】図１
0003156308.tif 000002
【実用新案登録請求の範囲】
【請求項１】
キャビネットの両壁部間に出し入れ可能な引出しの両側隙間箇所の両壁部にそれぞれに固定される一側壁固定ガイド及び他側壁固定ガイド部と、前記引出しの両側に設けられる引出し側可動ガイド部とからなり、前記一側壁固定ガイド部及び前記他側壁固定ガイド部は、長手方向の前端には手前側ガイド輪が軸支されると共に細長状に形成され、前記両引出し側可動ガイド部には、前記引出しの奥側の両側に位置して設けられた両奥側ガイド輪が軸支されると共に、前記手前側ガイド輪をそれぞれ転動規制する可動側ガイド縁が形成され、前記一側壁固定ガイド部の上部又は底部には前記奥側ガイド輪を転動規制する固定側ガイド縁が形成され、前記他側壁固定ガイド部の上部又は底部の手前側箇所のみに前記奥側ガイド輪を転動規制する手前側垂下状片が取り付けられてなることを特徴とする引出し用ガイド具。
【請求項２】
請求項１において、前記手前側垂下状片は、前記他側壁固定ガイド部の上部の手前側箇所のみに下向きに取り付けられてなることを特徴とする引出し用ガイド具。
【請求項３】
請求項１において、前記手前側垂下状片は、前記他側壁固定ガイド部の底部の手前側箇所のみに上向きに取り付けられてなることを特徴とする引出し用ガイド具。
【請求項４】
請求項１，２又は３において、前記手前側垂下状片に換えて、該手前側垂下状片と同等部材なる垂下片と平坦状の取付片を有するガイドピースが、前記他側壁固定ガイド部２の上部又は底部の手前側箇所のみに取付られると共に、前記上部又は底部の幅方向に幅調節自在に設けられてなることを特徴とする引出し用ガイド具。
【請求項５】
請求項４において、前記ガイドピースの取付片は、前記他側壁固定ガイド部の上部又は底部に長孔を介して幅調節自在にボルト・ナットにて固着されてなることを特徴とする引出し用ガイド具。
【考案の詳細な説明】
【技術分野】
【０００１】
本考案は、低価格で簡易のガイド機構を設けると共に、横幅の広い引出しを有するキャビネット等の家具において、引出しの出し入れ動作、特に入れるときに円滑に行うことができ、確実に引出しが脱線して閉まらなくなることを防止し、その家具に取付用の引出し用ガイド具に関する。
【背景技術】
【０００２】
従来技術において、引出しガイド機構として、特許文献１が存在している。該特許文献１には、ガイド機構として引出しの片側のみに説明されているが、他の側も同じ構造のガイド機構が設けられるタイプである。このタイプは、一般的には、キャビネット及び引出しが高精度に製造された場合に限定されるものである。ところで、引出しを備えた低価格に製造されたキャビネットが存在している。特に、従来技術としての図８乃至図１０に示すように、両側に壁部８１，８１を有するキャビネット８と、前記両壁部８１，８１間に出し入れ可能な引出し９とを備え、該引出し９の両側隙間にガイド具収納室Ｓ，Ｓとして設けられ、前記引出し９の横幅が広いものが多く、沢山収納できるものである。さらに、低価格としたものであっても、キャビネット８には、引出し９の出し入れ動作を円滑にするためのガイド具［図８（Ａ）の（ア）箇所及び図９（Ａ）の（イ）箇所参照］が前記引出し９の両側に装着されているものが多い現状である。
【０００３】
そのガイド具の具体例としては、一方［図８（Ａ）おいて右側参照］の壁部８１に固定される一側壁固定ガイド部１と、その他方［図９（Ａ）おいて左側参照］の壁部８１に固定される他側壁固定ガイド部２と、前記引出し９の両側に設けられる引出し側可動ガイド部３，３とから構成され［図８（Ｄ）及び図９（Ｄ）参照］、前記一側壁固定ガイド部１及び前記他側壁固定ガイド部２と、前記引出し側可動ガイド部３，３とが相対的に移動するように構成されている。前記一側壁固定ガイド部１と、他側壁固定ガイド部２とは、殆ど左右対称に構成されているが、異なる点は、垂下状の固定側ガイド緑１２ａの有無がある。これは、引出し９とキャビネット８とのガイド具収納室Ｓ，Ｓに対してガイド機構の取付精度が極めて高いものが要求される。この高い取付精度の要求に従わないと、かえって引出し９の出し入れ動作が不能となったり、或いはスムーズな可動のために経験的に、前記他側壁固定ガイド部２が適宜変更できるように作成されている。
【０００４】
特に、前記一側壁固定ガイド部１，前記他側壁固定ガイド部２及び前記引出し側可動ガイド部３について、図８，図９及び図１１に基づいて説明すると、前記一側壁固定ガイド部１は、長手方向の前端（キャビネット８の表側）には手前側ガイド輪１１が軸支されると共に、細長状の取付部１３の上下に、長手方向に沿って垂下状の固定側ガイド緑１２ａ付き上部１２及び底部１４がそれぞれ形成されている。また、前記他側壁固定ガイド部２は、長手方向の前端（キャビネット８の表側で、図１１において下側）には手前側ガイド輪２１が軸支されると共に、細長状の取付部２３の長手方向に沿って上部２２のみが形成されて構成されている。
【０００５】
前記引出し側可動ガイド部３，３には、前記手前側ガイド輪２１を転動する上部３２及び垂下状の可動側ガイド緑３２ａが形成されると共に、前記引出し９の奥側の両側に設けられた両奥側ガイド輸３１，３１それぞれが前記一側壁固定ガイド部１の固定側ガイド緑１２ａ付き上部１２（この下面側）及び前記他側壁固定ガイド部２の上部２２（この下面側）を転動可能に配置されている。前記可動側ガイド緑３２ａは前記手前側ガイド輪１１を、前記固定側ガイド緑１２ａは前記奥側ガイド輪３１をそれぞれ転動規制する。
【０００６】
つまり、具体的には、図８に示すように、表側から引出し９を見た場合、右側のガイド具収納室Ｓには、前記引出し９の先端側に設けた奥側ガイド輪３１の回転規制をするために、前記上部１２の固定側ガイド緑１２ａが形成されている。該固定側ガイド緑1２ａの
存在によって、引出し９の出し入れの動作をしても奥側ガイド輪３１は脱輪しない。ところで、図９に示すように、表側から引出し９を見た場合、左側のガイド具収納室Ｓには、前記引出し９の先端側に設けた奥側ガイド輪３１の回転規制をする、前記他側壁固定ガイド部２の上部２２は、単に平坦状に形成されているのみで、垂下状の縁などは一切形成されていない。これが、前述したように、引出し、キャビネット双方の高い精度や、ガイド機構の高い取付精度の要求に従わないと、かえって引出しの出し入れ動作に重大に支障をきたす。
【０００７】
低価格に製造されたキャビネット８として、引出し９の横幅が広いものとして販売され、さらに、近時では、取手として、その中央位置に付けられたタイプではなく、図１０（Ａ）に示すように、引出し９の正面板９２の全幅に凹部（取っ手の役割）を一体形成したＬ形部材９２ａを設けた高級デザインとされている製品が多く販売されている現状である。すると、低価格ゆえに、キャビネット８及び引出し９の完成寸法にも誤差が生じていることが多い［図１２（Ａ）乃至（Ｃ）参照コ。この完成寸法誤差は、板材の質、価格性などに影響している。そこで、例えば、低価格で製造されたキャビネット８の広がりタイプでも、窄まりタイプにガイド機構を設けるとする。そのとき、正確なガイド機構を設け、閉まった状態で、整然として収めていても、引出し９を入れようとしたときにはある程度入れられるが、それ以上、奥に入れられない。また、仮に、入れたとしても、出そうとしても、殆ど動かない状態になる重大な欠点がある。
【０００８】
これを回避するには、高級家具対応を考慮するのではなく、ガイド具そのものの順応性を改善することである。このために、前述したように、前記一側壁固定ガイド部１の上部１２は、単に平坦状を成しているのみすることで、低価格で製造されたキャビネットの広がりタイプでも、窄まりタイプでも、ガイド具の利点を生かしてスライドさせることができるようにして構成されている。ところで、最近の問題として、浮上したのは、引出し全幅に凹部（取っ手の役割）を一体形成した部材を設けた高級デザインとされている製品が多く販売されている現状であり、このようなタイプでも、対応できることが求められている。特に、引出しを開けた状態から、収納させる状態に閉めようとするときである。
この開け閉めについて、説明してみる。
【０００９】
引出し９がキャビネット８に収納されている状態では、一側壁固定ガイド部１と引出し側可動ガイド部３、他側壁固定ガイド部２と引出し側可動ガイド部３とがそれぞれガイド輪による転動関係が保持されている。そこで、引出し９をキャビネット８から引き出すときには、前記引出し側可動ガイド部３，３が前記一側壁固定ガイド部１及び他側壁固定ガイド部２から前記ガイド輪を介して滑らかに迫り出し、引出し９は、安定した引き出し動作にすることができる。しかし、キャビネット８から一旦、引き出した引出し９は、スムーズに入れられない。つまり、重大な問題が発生するのは、引出し９をキャビネット８に収納しようとするときである。このとき、引出し９内に、重量物が入っている場合には特に顕著である。つまり、図１０（Ｂ）に示すように、引出し正面板の幅方向中心の位置から距離Ｌだけ離れた引出し９の端部位置を押すと、その押す力Ｆによって、前記引出し９には回転モーメントＭがかかり、引出し９は水平面上で回転しようとする。この回転によって、奥側ガイド輪３１は前記他側壁固定ガイド部２から外れ脱輪する。
【００１０】
この点を詳述すると、図１１に示すとおりである。つまり、引出し９を全開した状態で該引出し９の左端を押すと〔図１１（Ａ）参照〕、回転モーメントＭがかかり、引出し９は水平面上で回転しようとすると共に、奥側に移動する［図１１（Ｂ）参照］。このとき、奥側ガイド輪３１は前記他側壁固定ガイド部２の上部２２から少し外れる。さらに、引出し９を奥側に押し、回転角度θとなった時には、奥側ガイド輪３１は前記他側壁固定ガイド部２の上部２２から完全に外れて脱輪する［図１１（Ｃ）及び図１０（Ｂ）参照］。これらの抑圧動作は、実際には、瞬時である。その脱輪の瞬間に、前記奥側ガイド輪３１が脱輪した側の引出し９は大きく落下状態となる。重量物が存在した場合には、ガタンと落ちて、重量物が散在したり、落ちることもあり、極めて危険な状態となる。
【先行技術文献】
【特許文献】
【００１１】
【特許文献１】特開平１０−２１１０４５号
【考案の概要】
【考案が解決しようとする課題】
【００１２】
このため、少なくとも、このような危険を防止すると共に、低価格の引出し装置を有するキャビネットであっても、安全且つ良好なガイド機構の改善及び改良が求められている。このため、本考案が解決しようとする課題（技術的課題又は目的等）は、引出しを備えたキャビネット等の家具において、低価格で且つ簡易な構造としたものであっても、引出しのキャビネットヘの収納動作を円滑に行えるように実現することにある。さらには、特に、重量物が存在した場合にはガイド輪の脱輪を防止し、引出しの落下状態及び収納した重量物などの散在を回避することにある。
【課題を解決するための手段】
【００１３】
そこで、考案者は上記課題を解決すべく鋭意，研究を重ねた結果、請求項１の考案を、キャビネットの両壁部間に出し入れ可能な引出しの両側隙間箇所の両壁部にそれぞれに固定される一側壁固定ガイド及び他側壁固定ガイド部と、前記引出しの両側に設けられる引出し側可動ガイド部とからなり、前記一側壁固定ガイド部及び前記他側壁固定ガイド部は、長手方向の前端には手前側ガイド輪が軸支されると共に細長状に形成され、前記両引出し側可動ガイド部には、前記引出しの奥側の両側に位置して設けられた両奥側ガイド輪が軸支されると共に、前記手前側ガイド輪をそれぞれ転動規制する可動側ガイド縁が形成され、前記一側壁固定ガイド部の上部又は底部には前記奥側ガイド輪を転動規制する固定側ガイド縁が形成され、前記他側壁固定ガイド部の上部又は底部の手前側箇所のみに前記奥側ガイド輪を転動規制する手前側垂下状片が取り付けられてなることを特徴とする引出し用スライド貝としたことにより、前記課題を解決した。
【００１４】
請求項２の考案を、請求項１において、前記手前側垂下状片は、前記他側壁固定ガイド部の上部の手前側箇所のみに下向きに取り付けられてなることを特徴とする引出し用スライド貝としたことにより、前記課題を解決した。請求項３の考案を、請求項１において、前記手前側垂下状片は、前記他側壁固定ガイド部の底部の手前側箇所のみに上向きに取り付けられてなることを特徴とする引出し用ガイド具としたことにより、前記課題を解決した。請求項４の考案を、請求項１，２又は３において、前記手前側垂下状片に換えて、該手前側垂下状片と同等部材なる垂下片と平坦状の取付片を有するガイドピースが、前記他側壁固定ガイド部２の上部又は底部の手前側箇所のみに取付られると共に、前記上部又は底部の幅方向に幅調節自在に設けられてなることを特徴とする引出し用ガイド具としたことにより、前記課題を解決した。さらに、請求項５の考案を、請求項４において、前
記ガイドピースの取付片は、前記他側壁固定ガイド部２の上部又は底部に長孔を介して幅調節自在にボノレト・ナットにて固着されてなることを特徴とする引出し用ガイド具としたことにより、前記課題を解決したものである。
【考案の効果】
【００１５】
請求項１の考案においては、前記キャビネットから一旦、引出しを引き出した後であっても、スムーズに入れることができる。つまり、引出しを一旦引き出した後でも、前記ガイドピースにて引出しの前側ガイド輪を初期動作のみ誘導することができる。特に、他側壁固定ガイド部の上部又は底部の季前側箇所のみ、すなわち、所定長さのみにガイドピースの垂下状縁を設けたことが重要である。つまり、手前側箇所のみであるため、たとえ、ひずみが生じている引出しを備えたキャビネットでも、ひずみが生じている該キャビネットに引出しを備えたものでも、該引出しの出し入れを全てスムーズにできる。
【００１６】
請求項２の考案では、他側壁固定ガイド部の上側位置に手前側垂下状片を設けるため良好に対応できる。請求項３の考案では、他側壁固定ガイド部の下側位置に手前側垂下状片を設けても、良好に対応できる。請求項４の考案では、既存の引出し用ガイド具を備えるキャビネットに対して良好に対応できる。また、請求項５の考案では、幅調整できることで、最適な幅調整しつつ良好なガイド具として提供できる。
【図面の簡単な説明】
【００１７】
【図１】（Ａ）は本考案を構成する他側壁固定ガイド部の要部斜視図、（Ｂ）は（Ａ）の要部拡大斜視図、（Ｃ）は（Ｂ）のＸ−Ｘ矢視断面図、（Ｄ）は（Ｃ）とは上下道とした断面図である。
【図２】本考案をキャビネットに本考案品を取付けた状態の縦断面図である。
【図３】（Ａ）は本考案をキャビネットに本考案品を取付けた状態の横断平面図、（Ｂ）は（Ａ）の両側箇所の要部拡大図、（Ｃ）は（Ｂ）のＰ−Ｐ矢視断面図である。
【図４】図３（Ｃ）の要部拡大断面図である。
【図５】（Ａ）は本考案をキャビネットに設けて引出しが最大に開いた状態から閉じようとする状態の要部横断平面図、（Ｂ）は引出しが少し閉じた状態となった要部横断平面図、（Ｃ）は引出しがさらに閉じた状態の要部横断平面図である。
【図６】（Ａ）は引出しが開いた状態の要部側面図、（Ｂ）は少し閉じた状態となった要部側面図、（Ｃ）はさらに閉じた状態の要部側面図である。
【図７】（Ａ）は本考案を構成する他側壁固定ガイド部の他の実施形態をキャビネットの壁部に設けた要部斜視図、（Ｂ）は（Ａ）の適宜な箇所の最小幅とした断面図、（Ｃ）は（Ａ）とは別の実施形態であって、適宜な箇所の最大幅とした断面図である。
【図８】（Ａ）は従来技術としてのキャビネット及び引出しの縦断面図、（Ｂ）は（Ａ）の（ア）箇所の拡大断面図、（Ｃ）は（Ｂ）の引出しのガイド輪箇所の断面図、（Ｄ）は（Ｂ）を左右側に分離した状態の断面図である。
【図９】（Ａ）は従来技術としてのキャビネット及び引出しの縦断面図、（Ｂ）は（Ａ）の（イ）箇所の拡大断面図、（Ｃ）は（Ｂ）の引出しのガイド輪箇所の断面図、（Ｄ）は（Ｂ）を左右側に分離した状態の断面図である。
【図１０】（Ａ）は広幅のキャビネットにおいて引出しを開けた状態の斜視図、（Ｂ）は（Ａ）において引出しを閉じる操作をしている横断平面図である。
【図１１】（Ａ）は従来技術において引出しが最大に開いた状態から閉じようとする状態の図１０（Ａ）の（ウ）箇所の横断平面図、（Ｂ）は従来技術において少し閉じた状態となった要部横断平面図、（Ｃ）は従来技術においてさらに閉じた状態の要部横断平面図である。
【図１２】（Ａ）は広幅のキャビネットにおいて引出しは正確に作成されているがキャビネットに奥側が広くなる寸法誤差が生じている横断平面図、（Ｂ）は広幅のキャビネットにおいて引出しは正確に作成されているがキャビネットに奥側が窄まる寸法誤差が生じている横断平面図、（Ｃ）は広幅のキャビネットにおいてキャビネット正確に作成されているが引出しは奥側が広くなる寸法誤差が生じている横断平面図である。
【考案を実施するための形態】
【００１８】
以下、本考案の実施形態について図面に基づいて説明すると、図１乃至図２は、本考案の第１実施形態であり、両側に壁部８１，８１を有するキャビネット８と、前記両壁部８１，８１間に出し入れ可能な引出し９とを備え、該引出し９の両側隙間のガイド具収納室Ｓ，Ｓの一方（図１及び図２において右側）の壁部８１に固定される一側壁固定ガイド部１と、その他方（図１及び図２において左側）の壁部８１に固定される他側壁固定ガイド部２と、前記引出し９の両側板２１，２１に設けられる引出し側可動ガイド部３，３とから構成されている。前記引出し側可動ガイド部３には、前記手前側ガイド輪１１を転動する上部３２が設けられているが、その取付部３３は、前記引出し９の両側板９１，９１とは別部材にて構成されているが（図２参照）、その取付部３３と両側板９１，９１とを同一部材として、側部９１，９１として構成することある（図１，図３乃至図５参照）。
【００１９】
前記他側壁固定ガイド部２の上部２２又は底部２４の手前側箇所[図１（Ａ）において
表側寄り]のみに、前記奥側ガイド輪３１を転動規制する手前側垂下状片２５が設けられ
ている。具体的には、図３（Ｂ）において前記キャビネット８の表側なる下側箇所寄りの前記他側壁固定ガイド部２の手前側ガイド輸２１の取付位置より数ｃｍ程度奥側から約十数ｃｍ程度の長さを有している。特に、重要なことは、前記上部２２の一部のみ（手前側箇所のみ）に設けたことが重要である。この点は後述する。
【００２０】
次に、本考案において、引出し９を閉じる作業について説明する。本考案では、図５（Ａ）及び（Ｂ）に示すように、引出しの左側端箇所を押したとすると［図５（Ａ）参照］、回転力なるモーメントＭが加わるが［その根拠は図１０（Ｂ）参照］、その引出し９の奥側の奥側ガイド輪３１は、前記他側壁固定ガイド部２の手前側垂下状片２５の存在によって脱輪しないで、直進する［図５（Ｂ）参照］。すると、その後には、該手前側垂下状片２５が存在しなくとも、慣性の作用によってスムーズに直進する［図５（Ｃ）参照］。この状態でモーメントＭが加わっていたとしても、スムーズな動きで閉められる。その後は記載してないが、最後にきちっと閉まるまで、スムーズにできる。これは、略瞬時の操作にてできる。
【００２１】
前記他側壁固定ガイド部２の手前側ガイド輪２１の取付位置より数ｃｍ程度奥側から約十数ｃｍ程度の長さとしているのは（前記上部２２の一部のみ）、キャビネット８及び引出し９の完成品の寸法誤差による。すなわち、図１２（Ａ）乃至（Ｃ）に示すように、前記ガイド具収納室Ｓの手前側と奥側とが歪みが生じている場合、特に、図１２（Ａ）と（Ｃ）の場合には、前記他側壁固定ガイド部２の手前側垂下状片２３として一部のみに設けることで、やっと、引出し９の開け閉め作業ができるものである。
【００２２】
このように、仮に、引出しの奥側ガイド輪３１に対して、前記他側壁固定ガイド部２にも、一側壁固定ガイド部１にも、双方に亘り回転規制の固定側ガイド縁１２ａを設けたとすると、図１２（Ａ）に示すように、広幅のキャビネット８において引出し９は正確に作成されているが（このときの手前側の間隔ｍとする）キャビネット８に奥側が広くなる寸法誤差（十α）が生じている場合には、引出し９を全開したときには、問題が生じにくいが、閉じようとすると、閉じることができない。また、図１２（Ｂ）に示すように、引出し９は正確に作成されているがキャビネット８に奥側が窄まる寸法誤差（−β）が生じている場合には、引出し９を閉じているときには、問題が生じにくいが、開けようとすると、開けられない。
【００２３】
さらに、図１２（Ｃ）に示すように、キャビネット８は正確に作成されているが引出し９の奥側が広くなる寸法誤差（＋γ）が生じている場合にも、引出し９を全開又は閉じたときの何れかの場合に、問題が生じなくともその動きなどにスムーズにできない重大な欠陥があるため、全長さに固定側ガイド縁１２ａを設けることはできないという問題があったが、本考案では、一部にすることによって、スムーズにできるのみならず、安価に提供できるものである。また、前述の説明において、前記一側壁固定ガイド部１は、図２及び図３において右側とし、前記他側壁固定ガイド部２は、図２及び図３において左側としたが、この逆も成立つものであり、実施形態に制限されない。
【００２４】
第２実施形態としては、図７に示すように、別部材のガイドピース４を設けた場合である。すなわち、前記他側壁固定ガイド部２の手前側垂下状片２５と一体化した説明をしたが、これを別体化した場合である。この場合には、従来型の他側壁固定ガイド部２に対して前記手前側垂下状片２５を設けない構成である。具体的には、前記ガイドピース４の断面はＬ形を成し、平坦状の取付片４ａの一側に垂下状片４ｂが形成されている。さらに、前記取付片４ａには、幅方向に長孔４ｃが２箇所設けられている。該長孔４ｃ，４ｃの位置に対応して、前記他側壁固定ガイド部２の上部２２又は下部２４の手前側箇所[図１（
Ａ）において表側寄り]のみにネジ軸４ｄ，４ｄが立設されている。該ネジ軸４ｄ，４ｄ
に前記ガイドピース４の長孔４ｃ，４ｃが挿入され、飛び出した前記ネジ軸４ｄ，４ｄにナット４ｅ，４ｅが螺合され、Ｌｍａｘを最大調整幅としつつ所望の調整幅に固着されている［図７（Ｂ），（Ｃ）参照］。
【符号の説明】
【００２５】
１…一側壁固定ガイド、１１，２１…手前側ガイド輪、１２…上部、１４…底部、
１２ａ…固定側ガイド縁、２…他側壁固定ガイド部、２２…上部、２４…底部、
２５…手前側垂下状片、３…引出し側可動ガイド部、３１…奥側ガイド輪、
３２ａ…可動側ガイド縁、８…キャビネット、９…引出し。
【図１】
0003156308.tif 000003
【図２】
0003156308.tif 000004
【図３】
0003156308.tif 000005
【図４】
0003156308.tif 000006
【図５】
0003156308.tif 000007
【図６】
0003156308.tif 000008
【図７】
0003156308.tif 000009
【図８】
0003156308.tif 000010
【図９】
0003156308.tif 000011
【図１０】
0003156308.tif 000012
【図１１】
0003156308.tif 000013
【図１２】
0003156308.tif 000014